(57)【要約】      （修正有）【課題】単に外見的な美しさや面白さを求めるのでは無く、外見を介して送る側の気持ちが送られる側に伝わるような、心の通うフラワーオブジェを提供する。【解決手段】フラワーオブジェ５０は、花器６０と造花７０とを備える。花器に施された装飾は、フラワーオブジェを受け取る者が過去所属していたスポーツチーム（団体・組織）のユニフォームの柄を基にデザインされたシンボルカラー６１とその選手のユニフォームの背番号６２とを重ねて付した。さらに、ユニフォームの襟をイメージしたもの６３を付した。【選択図】図２
0003234355.tif 000002
【実用新案登録請求の範囲】
【請求項１】
フラワーオブジェを受け取る側が過去所属していた或いは現在所属している団体・組織のシンボルカラー又はシンボルデザインを装飾した花器と、
当該花器に造花又は生花と、
を備えたことを特徴とするフラワーオブジェ。
【請求項２】
矩形状で木製の花器からなることを特徴とする請求項１記載のフラワーオブジェ。
【請求項３】
造花又は生花に光触媒作用を有するコーティング剤が塗布されていることを特徴とする請求項１又は２記載のフラワーオブジェ。
【考案の詳細な説明】
【技術分野】
【０００１】
本願考案は、送られる人に思い入れやゆかりのある色彩やデザインなどで装飾することによって、送る人の気持ちがより伝わるフラワーオブジェを提供するものである。
【背景技術】
【０００２】
これまで一般的なフラワーオブジェをアレンジしたものとして、次の特許文献１〜４に開示されたものがある。
【０００３】
特許文献１は、図３に図示するように、フラワースタンドの脚部の装飾性を向上させることにより、フラワースタンド全体の見栄えを良くし、さらに、脚部に電飾を設け、昼夜を問わず人の目を店舗の方向に引き寄せることができるフララワースタンドを提供することを目的とするものであり、花を植え込む花器部２と、その花器部２を支える脚部３の各部材からなるもので、その脚部３の支柱部材３１の周囲に布からなるスカート４を設け、さらに、スカート４内部の支柱部材３１の引掛具３４に電飾５を掛けるようにして設けているフララワースタンドである。
【０００４】
特許文献２は、図４に図示するように、生け花の視覚的なあじわいをより向上させ、あるいは視覚的な情趣に加えて香を併せて楽しむことができる新規な花器を提供するものであり、水平断面径が漸減する倒立截頭円錐台形状の胴部の上部開口１２２から挿入した生け花をほぼ直立した姿勢で支持するように、平底でかつほぼ半球状の花器脚部１１に、この脚１１の外壁１１１に設けた内側に膨らむポケット１３を設け、このポケット１３の外面と脚部内面との間の隙間に前記挿入した花の茎部下端を挾持するようにしたものである。
【０００５】
特許文献３は、図５に図示するように、水を使用せずに長期保存可能な花（プリザーブドフラワー等）の特徴を活かし、身近な美的感覚を充足する花器を提供するものであり、底部材、甲部材、その他の必要な部材を組み合わせて製作された短靴の履き口の下方空間内に、保持ブロックを固定して設置したことを特徴とするプリザーブドフラワー等の花器である。また、前記花器において底部材の外底に吊り具を設けた花器である。
【０００６】
特許文献４は、図６に図示するように、プリザーブドフラワーを透明容器に封入することなく十分な妙味があり、しかもプリザーブドフラワーの劣化を極力抑えることができ、更に衝撃からも保護することができる装飾品を提供するものであり、プリザーブドフラワー１３の周囲を造花９が囲んだ状態となっており周囲からの直射日光を遮っており、しかも、花器部３、ベース部７がシート状の乾燥剤によって構成されているので、湿気が花器部３、ベース部７に吸収されるので、プリザーブドフラワー１３が吸湿するのを抑えることができ、変色等の劣化を防止すること可能であり、プリザーブドフラワー１３が透明容器に封入されておらず露出しているので、装飾品としての妙味を十分に味わうことができるものである。
【先行技術文献】
【特許文献】
【０００７】
【特許文献１】実用新案登録第３０３２２７６号公報
【特許文献２】実用新案登録第３０５３８６８号公報
【特許文献３】実用新案登録第３１３７７１２号公報
【特許文献４】実用新案登録第３１８８５２３号公報
【考案の概要】
【考案が解決しようとする課題】
【０００８】
上記特許文献１〜４のようなフラワーオブジェのアレンジには、主に外形的な斬新さや奇抜さを追求し、制作者側のメッセージが強烈にアピールされている傾向がある。
これに対して、本願考案者は、単に外見的な美しさや面白さを求めるのでは無く、外見を介して送る側の気持ちが送られる側に伝わるような、そんな心の通うフラワーオブジェが提供できないかと思案・試作を繰り返し、やがて本願考案を完成するに至った。
【課題を解決するための手段】
【０００９】
本願考案の第１の考案は、フラワーオブジェを受け取る側が過去所属していた或いは現在所属している団体・組織のシンボルカラー又はシンボルデザインを装飾した花器と、当該花器に造花又は生花と、を備えたことを特徴とするフラワーオブジェである。
本願考案の第２の考案は、矩形状で木製の花器からなることを特徴とする同フラワーオブジェである。
本願考案の第３の考案は、造花又は生花に光触媒作用を有するコーティング剤が塗布されていることを特徴とする同フラワーオブジェである。
【考案の効果】
【００１０】
本願考案によれば、以下のような効果を有する。
（１）フラワーオブジェの花器にフラワーオブジェを受け取る側が過去所属していた或いは現在所属している団体・組織のシンボルカラー又はシンボルデザインを装飾することによって、一体感が生まれ、フラワーオブジェを送る側の気持ち（感謝の気持ち、惜別の気持ちなど）が受け取る側（送られる側）に伝えることができる。
（２）特に、団体や組織のシンボルカラー又はシンボルデザインは、当該チームを象徴するものであるから、長い間そのチームを離れていた者や解散してしまったメンバーの人々にとっても、そのチームに所属していた当時を想起させて、一体感が生まれやすい。
（３）そうしたシンボルカラー又はシンボルデザインで装飾された花器に造花又は生花を備えることで、花の持つ美しさや人を和ませる優しさをフラワーオブジェに添えることができる。
【図面の簡単な説明】
【００１１】
【図１】本願考案に係るフラワーオブジェの第１実施形態を説明する説明図。
【図２】本願考案に係るフラワーオブジェの第２実施形態を説明する説明図。
【図３】従来技術（特許文献１に開示された考案）を図示した説明図。
【図４】従来技術（特許文献２に開示された考案）を図示した説明図。
【図５】従来技術（特許文献３に開示された考案）を図示した説明図。
【図６】従来技術（特許文献４に開示された考案）を図示した説明図。
【考案を実施するための形態】
【００１２】
本願考案の実施形態を図面に基づいて説明する。
図１は、本願考案に係るフラワーオブジェの第１実施形態を説明する説明図である。
図１に示すように、フラワーオブジェ１０は、花器２０と造花３０とを備えている。
花器２０は、矩形状（直方体）で木製のものであり、その表面に装飾が施されている。装飾は、フラワーオブジェを受け取る者が過去所属していたスポーツチーム（＝団体・組織）のユニフォームの柄を基にデザインされたシンボルカラー２１を付した。また、その選手がユニフォームに付けていた背番号１２もシンボルカラー２１とは別に付した（符合２２）。
【００１３】
こうした装飾２１，２２が花器２０に施されていることにより、フラワーオブジェ１０を送る側と送られる側（受け取る側）の間に一体感が生まれて、両者の間でフラワーオブジェ１０を介して気持ちを伝えることができる。例えば、学生スポーツでは、引退後部員は別々の道を歩むことになり、以前のようになかなか会えることもできなくなり、疎遠になりかねない。しかし、そうした中で、婚礼等の儀式典礼で一堂に会するときにこのフラワーオブジェ１０を送ることで、当時の関係者の間にあった一体感がすぐに戻り、お祝いの気持ち、感謝の気持ち、惜別の思いなどを声に出さずとも伝えることができる。
【００１４】
メッセージ性を有する花器２０ゆえに、図示する矩形状（直方体）で木製のものにすることで、そのメッセージにどっしりとした安定感と温もりを与える効果が発生する。但し、花器は図示するような形状や材質に限定されるものではない。
【００１５】
また、造花３０には、光触媒作用を有するコーティング剤が塗布されているとよい。光触媒作用によって、フラワーオブジェ１０周辺の空気を浄化する効果があるからである。
【００１６】
図２は、本願考案に係るフラワーオブジェの第２実施形態を説明する説明図である。
図２に示すフラワーオブジェ５０は、花器６０と造花７０とを備えており、基本的に第１実施形態のフラワーオブジェ１０と同じであるが、花器６０に施された装飾がフラワーオブジェ１０の装飾と異なる。
【００１７】
花器６０に施された装飾は、フラワーオブジェを受け取る者が過去所属していたスポーツチーム（＝団体・組織）のユニフォームの柄を基にデザインされたシンボルカラー６１とその選手のユニフォームの背番号６２とを重ねて付した。さらに、ユニフォームの襟をイメージしたもの（符合６３）を付した。こうすることで、過去に所属していた現役時代の頃をより想起させて、愛着を感じさせるものとなる。
【産業上の利用可能性】
【００１８】
本願考案に係るフラワーオブジェは、送る人の気持ちを伝えたい時の贈り物として広く利用することができる。
【符号の説明】
【００１９】
（第１実施形態）
１０  フラワーオブジェ
２０  花器
２１  シンボルカラー
２２  背番号
３０  造花
【００２０】
（第２実施形態）
５０  フラワーオブジェ
６０  花器
６１  シンボルカラー
６２  背番号
６３  ユニフォームの襟をイメージしたもの
７０  造花
【図１】
0003234355.tif 000003
【図２】
0003234355.tif 000004
【図３】
0003234355.tif 000005
【図４】
0003234355.tif 000006
【図５】
0003234355.tif 000007
【図６】
0003234355.tif 000008